(57)【要約】  【課題】排気ガス還流によって低負荷域でのＮＯｘ低減を図る場合に、多量のスモーク発生を防止しつつ加速応答性を向上させる。  【解決手段】ＥＧＲ通路４１により、過給機２５のタービンホイール２５ｂ下流側の排気通路３１から、コンプレッサホイール２５ａ上流側の吸気通路２１へと排気ガス還流が可能とされる。インタークーラ２６をバイパスするバイパス通路６０が酸素供給手段として設けられる。切換弁６２，６３の切換によって、排気ガス還流を実行しているときはインタークーラ２６を経由する吸気供給態様とされ、排気ガス還流が行われている状態からの加速時には、バイパス通路６０を経由する吸気供給態様へと切換えられる。【選択図】  図１
2007127038.tif 000002
【特許請求の範囲】
【請求項１】
排気ターボ式の過給機によって吸気の過給を行うようにしたディーゼルエンジンにおいて、
前記過給機のタービンホイール下流側の排気通路と該過給機のコンプレッサホイール上流側の吸気通路とを接続して、排気ガスを吸気通路に還流するＥＧＲ通路と、
前記ＥＧＲ通路からの排気ガス還流量を変更するＥＧＲ弁と、
前記コンプレッサホイール下流側の吸気通路に配設されたインタークーラと、
前記インタークーラ下流側の吸気通路に酸素を供給するための酸素供給手段と、
を備え、
前記ＥＧＲ通路を通して吸気通路への排気ガス還流を行う定常運転状態から排気ガス還流を停止する加速状態へと移行したとき、前記酸素供給手段による酸素供給が実行されるように設定されている、
ことを特徴とするディーゼルエンジン。
【請求項２】
請求項１において、
前記酸素供給手段が、
前記コンプレッサホイールを通過した吸気を、前記インタークーラをバイパスして該インタークーラ下流側の吸気通路へ供給するためのバイパス通路と、
前記バイパス通路を経由することなく前記インタークーラを経由して吸気を供給する該１供給態様と、前記インタークーラを経由することなく前記バイパス通路を経由して吸気を供給する第２供給態様とを切替える切換手段と、
を有して、
排気ガス還流を行う定常運転状態では前記第１供給態様とされ、前記加速状態へと移行するときは前記第２供給態様とされる、
ことを特徴とするディーゼルエンジン。
【請求項３】
請求項１において、
前記酸素供給手段が、
前記コンプレッサホイールを通過した吸気を、前記インタークーラをバイパスして該インタークーラ下流側の吸気通路へ供給するためのバイパス通路と、
前記バイパス通路を経由することなく前記インタークーラを経由して吸気を供給する該１供給態様と、前記インタークーラおよび前記バイパス通路の両方を経由して吸気を供給する第２供給態様とを切替える切換手段と、
を有して、
排気ガス還流を行う定常運転状態では前記第１供給態様とされ、前記加速状態へと移行するときは前記第２供給態様とされる、
ことを特徴とするディーゼルエンジン。
【請求項４】
請求項２または請求項３において、
前記切換手段が、
前記バイパス通路を開閉する第１切換弁と、
前記インタークーラ下流側でかつ前記バイパス通路の接続部位よりも上流側となる吸気通路を開閉する第２切換弁と、
を備えている、
ことを特徴とするディーゼルエンジン。
【請求項５】
請求項２ないし請求項４のいずれか１項において、
前記加速状態へ移行して前記第２供給態様とされた後は、徐々に前記第１供給態様へと復帰される、ことを特徴とするディーゼルエンジン。
【請求項６】
請求項１ないし請求項５のいずれか１項において、
吸気通路のうち前記バイパス通路の下流側端が接続される部位よりも下流側位置において、吸気の酸素濃度を検出する酸素濃度検出手段をさらに備え、
前記酸素濃度検出手段により検出される酸素濃度が、低負荷ほど小さくなるように設定される目標酸素濃度となるように、前記ＥＧＲ通路を通しての吸気通路への排気ガス還流量が制御される、
ことを特徴とするディーゼルエンジン。
【請求項７】
請求項１ないし請求項６のいずれか１項において、
前記タービンホイールとＥＧＲ通路の接続部との間の排気通路に、パティキュレートフィルタが設けられている、ことを特徴とするディーゼルエンジン。
【発明の詳細な説明】
【技術分野】
【０００１】
本発明は排気ターボ式の過給機を備えたディーゼルエンジンに関するものである。
【背景技術】
【０００２】
ディーゼルエンジン、特に自動車用のディーゼルエンジンにおいては、排気ターボ式の過給機によって吸気の過給を行うことが多く行われている。また、最近では、ＮＯｘの大幅な低減という観点から、吸気通路に多量の排気ガスを還流することも行われている。排気ガス還流を行うためのＥＧＲ通路は、通常、特許文献１に示すように、過給機のタービンホイール下流側の排気通路とコンプレッサホイール上流側の吸気通路とを接続するように設定されて、吸気通路に還流された排気ガスが新気と共に過給されるようになっている。ＥＧＲ通路を上記のような配設態様としたときは、高負荷域まで十分に排気ガス還流を行うことが可能となる。また、特許文献１には、タービンホイール上流側の排気通路にパティキュレートフィルタを配設して、タービンホイールやコンプレッサホイールがパティキュレートによって汚損されるのを防止することも開示されている。
【特許文献１】実開昭６３−１２５１６１号公報
【発明の開示】
【発明が解決しようとする課題】
【０００３】
ところで、吸気通路に排気ガスが多量に還流されている運転状態、例えばＮＯｘ低減が強く望まれる所定負荷以下となる低負荷域での定常運転時において、アクセルペダルが急激に踏み込み操作されることによる加速要求があった場合、多量のスモークが発生することになり、多量のスモークが発生するのを防止しようとすると、加速応答性が悪化するという問題を生じる。この点を詳述すると、多量の排気ガス還流が行われている状態では、少なくともコンプレッサホイールから燃焼室に至るまでの吸気系路内での酸素濃度が極めて低い状態となっている。したがって、加速要求があったのに応答して、排気ガス還流を停止すると共に燃料噴射量を増大させると、増大された燃料に見合った酸素量が十分に確保されず、多量のスモークを発生することになる。多量のスモーク発生を防止するために、吸気通路内の残留排気ガスが少なくなるまで燃料噴射量の増大を待つと、残留排気ガスが十分に低減されるまでに少なからずの時間を要するため、燃料噴射量増大の時期が遅くなり、加速応答性を悪化させてしまうことになる。特に、コンプレッサホイールから燃焼室に至るまでの吸気系路がかなり長くてこの部分の容積が大きく、しかも最近ではコンプレッサホイール下流側の吸気通路には吸気冷却用の大容量のインタークーラが配設されることが多いために、コンプレッサホイール下流側の吸気系路内に残留している多量の排気ガスが十分に低減されるのは、排気ガス還流の停止後から少なからず遅れた時期になってしまうというのが実情である。
【０００４】
本発明は以上のような事情を勘案してなされたもので、その目的は、排気ガス還流によってＮＯｘ低減を図る場合に、多量のスモーク発生を防止しつつ加速応答性を向上させることができるようにしたディーゼルエンジンを提供することにある。
【課題を解決するための手段】
【０００５】
前記目的を達成するため、本発明にあっては次のような解決手法を採択してある。すなわち、特許請求の範囲における請求項１に記載のように、
排気ターボ式の過給機によって吸気の過給を行うようにしたディーゼルエンジンにおいて、
前記過給機のタービンホイール下流側の排気通路と該過給機のコンプレッサホイール上流側の吸気通路とを接続して、排気ガスを吸気通路に還流するＥＧＲ通路と、
前記ＥＧＲ通路からの排気ガス還流量を変更するＥＧＲ弁と、
前記コンプレッサホイール下流側の吸気通路に配設されたインタークーラと、
前記インタークーラ下流側の吸気通路に酸素を供給するための酸素供給手段と、
を備え、
前記ＥＧＲ通路を通して吸気通路への排気ガス還流を行う定常運転状態から排気ガス還流を停止する加速状態へと移行したとき、前記酸素供給手段による酸素供給が実行されるように設定されている、
を備えているようにしてある。
【０００６】
上記解決手法によれば、加速移行時には、酸素供給手段からインタークーラ下流側の吸気通路内つまり燃焼室に近い位置へ酸素が供給されるので、加速移行に応じて早期に燃料噴射量を増大することができ、これにより多量のスモークを発生することなく加速応答性が向上されることになる。
【０００７】
上記解決手法を前提とした好ましい態様は、特許請求の範囲における請求項２以下に記載のとおりである。すなわち、
前記酸素供給手段が、
前記コンプレッサホイールを通過した吸気を、前記インタークーラをバイパスして該インタークーラ下流側の吸気通路へ供給するためのバイパス通路と、
前記バイパス通路を経由することなく前記インタークーラを経由して吸気を供給する該１供給態様と、前記インタークーラを経由することなく前記バイパス通路を経由して吸気を供給する第２供給態様とを切替える切換手段と、
を有して、
排気ガス還流を行う定常運転状態では前記第１供給態様とされ、前記加速状態へと移行するときは前記第２供給態様とされる、
ようにしてある（請求項２対応）。この場合、加速移行時には、排気ガス還流が停止されるので、コンプレッサホイール上流側には酸素を十分に含んだ実質的に新気のみが供給されることになるが、この酸素を十分に含んだ新気がバイパス通路を通して燃焼室へすみやかに供給されることになる。このように、酸素供給手段を、既存の吸気通路系路の構成を工夫することによって簡単に構成することができる。また、加速移行時には、インタークーラ内およびその付近に残留している排気ガスが燃焼室へ供給されないので、燃焼室へはバイパス通路からの酸素を十分に含んだ新気がもっぱら供給されることになり、スモークの大量発生防止と加速応答性向上とを極めて高い次元で満足させることができる。
【０００８】
前記酸素供給手段が、
前記コンプレッサホイールを通過した吸気を、前記インタークーラをバイパスして該インタークーラ下流側の吸気通路へ供給するためのバイパス通路と、
前記バイパス通路を経由することなく前記インタークーラを経由して吸気を供給する該１供給態様と、前記インタークーラおよび前記バイパス通路の両方を経由して吸気を供給する第２供給態様とを切替える切換手段と、
を有して、
排気ガス還流を行う定常運転状態では前記第１供給態様とされ、前記加速状態へと移行するときは前記第２供給態様とされる、
ようにしてある（請求項３対応）。この場合、加速移行時には、排気ガス還流が停止されるので、コンプレッサホイール上流側には酸素を十分に含んだ実質的に新気のみが供給されることになるが、この酸素を十分に含んだ新気がバイパス通路を通して燃焼室へすみやかに供給されることになる。このように、酸素供給手段を、既存の吸気通路系路の構成を工夫することによって簡単に構成することができる。また、加速移行時には、インタークーラ内およびその付近の吸気通路内に残留している排気ガスが、バイパス通路からの酸素を十分に含んだ新気と混合された状態で燃焼室へ供給されることとなりスモークの大量発生防止と加速応答性向上とを得ることができる。さらに、加速移行時にもインタークーラを経由して吸気を供給するということは、一旦加速が行われた後、すぐにまた再度の加速要求があったときに、インタークーラ内およびその付近の吸気通路内の排気ガスが前回の加速時において十分に低減されているので、再度の加速の際にも多量のスモーク発生を防止しつつの加速応答性を十分向上させることができる。
【０００９】
前記切換手段が、
前記バイパス通路を開閉する第１切換弁と、
前記インタークーラ下流側でかつ前記バイパス通路の接続部位よりも上流側となる吸気通路を開閉する第２切換弁と、
を備えている、
ようにしてある（請求項４対応）。この場合、切換手段の具体的な構成が提供される。
【００１０】
前記加速状態へ移行して前記第２供給態様とされた後は、徐々に前記第１供給態様へと復帰される、ようにしてある（請求項５対応）。この場合、吸気の流れ系路が急激に切換えられることが防止されるので、加速移行後の好ましくないトルクショック防止等の上で好ましいものとなる。
【００１１】
吸気通路のうち前記バイパス通路の下流側端が接続される部位よりも下流側位置において、吸気の酸素濃度を検出する酸素濃度検出手段をさらに備え、
前記酸素濃度検出手段により検出される酸素濃度が、低負荷ほど小さくなるように設定される目標酸素濃度となるように、前記ＥＧＲ通路を通しての吸気通路への排気ガス還流量が制御される、
ようにしてある（請求項６対応）。この場合、燃焼室に実際に供給される吸気の酸素濃度を目標酸素濃度としつつ、この目標酸素濃度となるように排気ガス還流量が精度よく制御されて、ＮＯｘ低減を精度よく行う上で好ましいものとなる。また、低負荷ほど目標酸素濃度が小さくされるのでつまり排気ガス還流量が多くされるので、ＮＯｘ低減が強く望まれる低負荷でのＮＯｘ低減を十分に行う上で好ましいものとなる。
【００１２】
前記タービンホイールとＥＧＲ通路の接続部との間の排気通路に、パティキュレートフィルタが設けられている、ようにしてある（請求項７対応）。この場合、コンプレッサホイールがパティキュレートによって汚損されてしまう事態を防止しつつ、ＥＧＲ通路における排気通路側の圧力を極力高く確保すること（ＥＧＲ通路からの排気ガス還流量を十分に確保すること）や、タービンホイールに極力高い排気圧力を作用させる（排気エネルギを過給のために有効利用する）上で好ましいものとなる。
【発明の効果】
【００１３】
本発明によれば、排気ガス還流によるＮＯｘ低減を図る場合に、多量のスモーク発生を防止しつつ加速応答性を向上させることができる。
【発明を実施するための最良の形態】
【００１４】
図１において、１はディーゼルエンジン（の本体）で、シリンダブロック２とシリンダヘッド３とピストン４とによって燃焼室５が画成されている。燃焼室５には、吸気弁６により開閉される吸気ポート７、排気弁８により開閉される排気ポート９が開口されている。ディーゼルエンジン１は、燃焼室５に電子制御式の燃料噴射弁１０が臨まされた直噴式で、しかも燃焼供給方式はコモンレール式とされている。なお、実施形態では、ディーゼルエンジン１は直列４気筒用とされている。
【００１５】
吸気ポート７に連なる吸気通路２１には、その上流側から下流側へ順次、エアフィルタ２２、吸気量センサ２３、電磁式の吸気制御弁２４、排気ターボ式過給機２５のコンプレッサホイール２５ａ、インタークーラ２６、サージタンク２７が配設されている。そして、サージタンク２７と各気筒の吸気ポート７との間が、個々独立した独立吸気管２１ａとされている。サージタンク２７には、吸気温度を検出する吸気温度センサ２８、および吸気圧力を検出する吸気圧力センサ２９が配設されている。
【００１６】
排気ポート９に連なる排気通路３１には、その上流側から下流側へ順次、過給機２５のタービンホイール２５ｂ、排気ガス浄化触媒３２、パティキュレートフィルタ３３が配設されている。なお、パティキュレートフィルタ３３と排気ガス浄化触媒３２とは、一つの耐熱ケーシング内に配設されて、必要に応じて排気ガス浄化触媒３２を高熱化させる運転状態として、パティキュレートフィルタ３３に補足されたパティキュレートを燃焼させるようになっている。なお、過給機２５は、例えば可変ノズル式等の過給能力変更可能な形式とされ、過給能力変更用のアクチュエータが符合２５ｃで示される。
【００１７】
吸気通路２１と排気通路３１とは、ＥＧＲ通路４１によって互いに接続されている。ＥＧＲ通路４１は、その上流端が、パティキュレートフィルタ３３下流側において排気通路３１に接続され、その下流端が、吸気制御弁２４の下流側でかつコンプレッサホイール２５ａ上流側において吸気通路２１に接続されている。なお、ＥＧＲ通路４１の吸気通路２１への接続部位が符合４１ａで示され、排気通路３１への接続部位が符合４１ｂで示される。このＥＧＲ通路４１には、ＥＧＲクーラ４３が接続されると共に、吸気通路２１への接続部位直近においてＥＧＲ弁４４が接続されている。
【００１８】
吸気通路２１には、インタークーラ２６をバイパスするためのバイパス通路６０が設けられている。このバイパス通路６０の上流端は、コンプレッサホイール２５ａ下流側でかつインタークーラ２６上流側の吸気通路に接続され、この接続部位が符合６０ａで示される。バイパス通路６０の下流端は、インタークーラ２６下流側でかつサージタンク２７上流側の吸気通路に接続され、この接続部位が符合６０ｂで示される。なお、接続部位６０ｂは、極力インタークーラ２６から遠い位置で、サージタンク２７に近い位置となるように設定されている。
【００１９】
バイパス通路６０内には、その上流端側の接続部位６０ａ付近において第１切換弁６２が配設されている。また、下流端側の接続部位６０ｂよりも上流側でかつ該接続部位６０ｂ付近の吸気通路２１内には第２切換弁６３が配設されている。第１切換弁６２を閉弁しかつ第２切換弁６３を開弁したときは、コンプレッサホイール２５ａを通過した吸気がインタークーラ２６を経由して供給される第１供給態様とされる。逆に、第１切換弁６２を開弁しかつ第２切換弁６３を閉弁したときは、コンプレッサホイール２５ａを通過した吸気がバイパス通路６０を経由して供給される第２供給態様とされる。このように、切換手段としての上記切換弁６２，６３の切換によって、２つの接続部位６０ａ、６０ｂとの間での吸気通路系路としては、インタークーラ２６を経由する経路とバイパス通路６０を経由する経路との２種類が構成されるが、バイパス通路６０を経由する吸気通路系路の方がその通路容積が十分に小さくされている。
【００２０】
図２において、Ｕはマイクロコンピュータを利用して構成されたコントローラ（制御ユニット）であり、このコントローラＵによって、後述するようなＥＧＲ制御が行われる。このコントローラＵには、前述した各センサ２３、２８、２９からの検出信号の他、エンジン回転数を検出する回転センサ５１、およびエンジン負荷としてのアクセル開度を検出するアクセル開度センサ５２からの検出信号が入力される。また、コントローラＵは、前述したＥＧＲ弁４４、２つの切換弁６２、６３、吸気制御弁２４、燃料噴射弁１０を制御するようになっている。
【００２１】
コントローラＵによる制御の概要について図３、図４を参照しつつ説明する。まず、図３は、エンジン回転数とアクセル開度とをパラメータとして、ＥＧＲの実行領域の区分けを示すものである。すなわち、低回転かつ所定負荷以下の低負荷となる第１領域では、定常運転（緩加速を含む）であることを条件として、ＥＧＲ通路４１から排気ガス還流が実行される領域とされる。高回転または高負荷となる第２領域では、排気ガス還流が停止される（ＥＧＲ弁４４が閉弁される）。
【００２２】
排気ガス還流が実行されるときは、例えばサージタンク２７内の吸気の実際の酸素濃度が目標酸素濃度となるように、ＥＧＲ弁４４の開度がフィードバック制御される（排気ガス還流量調整による目標酸素濃度の実現）。そして、排気ガス還流量が不足される場合に、吸気制御弁２４が閉弁方向に制御される。すなわち、吸気制御弁２４は、基本的に全開とされて、排気ガス還流量が不足するときにのみ、接続部位４１ａの吸気圧力を低下させるように（ＥＧＲ通路４４からの排気ガス還流が増大されように）、閉弁方向に制御される。
【００２３】
目標酸素濃度は、例えば図４に示すように、エンジン回転数とアクセル開度とをパラメータとして設定されて、エンジン回転数が小さいほど、またアクセル開度が小さいほど、目標酸素濃度が小さく（低く）なるように設定される。このように、低負荷ほど目標酸素濃度が小さくなるように設定するのは、特に低負荷でのＮＯｘ低減を図るものであり、目標酸素濃度をどのように設定するかはこれに限定されないものである。
【００２４】
次に、サージタンク２７内での実際の酸素濃度の検出手法について説明する。なお、実際の酸素濃度の検出は、酸素濃度センサを用いて簡単に行うこともできるが、コスト低減等の観点から、実施形態では既存のセンサを利用して検出（推定）するようにしてある。すなわち、基本的に、排気ガスの酸素濃度（酸素量）を推定して、サージタンク２７内での実際の酸素濃度を推定するようにしてある。具体的には、吸気温度センサ２８で検出された吸気温度と吸気圧力センサ２９で検出された吸気圧力とから、吸気密度が計算される。この吸気密度とエンジン運転状態によって決定される体積効率とから、充・量が計算される。エアフィルタ２２を通る新気の吸気量は、吸気量センサ２３によって検出されるので、上記充・量から新気量を差し引いた値が、実際にサージタンク２７に還流されている排気ガス還流量となる。新気（大気）の酸素濃度が既知なので、今回還流される排気ガスの酸素濃度を知ることができれば、サージタンク２７での吸気の酸素濃度を知ることができる。そして、今回還流される排気ガスの酸素濃度は、過去に推定された排気ガスの酸素濃度を遅れ処理することによって推定することができる。
【００２５】
ここで、燃料噴射量そのものはコントローラＵによる制御命令そのものなので知ることができ、また、燃料噴射量に応じて消費される（燃焼に関与する）酸素量も容易に知ることができる。したがって、過去に推定されたある酸素濃度を有する排気ガスを含む吸気が、燃焼された後に燃焼室５から排気ガスとして排出されるとき、今回排出される排気ガス中の酸素濃度を知ることができる。今回排出された排気ガスの酸素濃度は、ＥＧＲ通路４１等の通路長さ（容積）等を加味したサージタンク２７に導入されるまでの遅れ処理によって、次回以降にサージタンク２７での排気ガスの酸素濃度として用いられることになる。なお、ＥＧＲ開始時には、サージタンク２７に供給される排気ガス中の酸素濃度の推定初期値を例えば実験的にさだめた所定値として設定して、前述した推定のための計算を行えばよい。
【００２６】
次に、コントローラＵによる制御内容について、図９のフローチャートを参照しつつ説明する。なお、以下の説明でＱはステップを示す。また、図９の制御開始時には、イニシャライズによって、第１切換弁６２が閉弁されると共に第２切換弁６３が開弁されて、吸気がインタークーラ２６を経由して供給される第１供給態様（基本の供給態様）とされ、しかも吸気制御弁２３は全開とされる。また、後述するフラグは０にリセットされる。
【００２７】
以上のことを前提として、まず、Ｑ１において、各種センサ等からの信号が読み込まれた後、Ｑ２において、現在第１領域であるか否かが判別される。このＱ２の判別でＹＥＳのときは、Ｑ３において、緩加速を含む定常運転状態であるか否かが判別される。このＱ３の判別でＹＥＳのときは、Ｑ４において、排気ガス還流を実行していることを示すべく、フラグが１にセットされる。この後、Ｑ５において、図４に示すマップに照合して目標酸素濃度が決定される。この後、Ｑ６において、サージタンク２７での吸気の実際の酸素濃度が検出（推定）される。Ｑ６の後は、Ｑ７において、実際の酸素濃度が目標酸素濃度となるように、ＥＧＲ弁４４がフィードバック制御される（排気ガス還流量が不足するときは吸気制御弁２４が閉弁方向に制御される）。
【００２８】
前記Ｑ２の判別でＮＯのとき、あるいはＱ３の判別でＮＯのときは、それぞれ、Ｑ９において、、ＥＧＲ弁４４が閉弁される。Ｑ９の後は、Ｑ１０において、加速時（加速要求時）であるか否かが判別される。この判別は、例えば、アクセル開度の踏み込み速度が所定速度以上の場合、あるいはアクセル開度の所定単位時間あたりの踏み込み量が所定量以上であるときに、加速時であると判定することができる。このＱ１０の判別でＹＥＳのときは、Ｑ１１において、フラグが１であるか否かが判別される。このＱ１１の判別でＹＥＳのときは、排気ガス還流が実行されている状態からの加速時であり、このときはＱ１２において、第１切換弁６２が一気に開弁されると共に第２切換弁６３が一気に閉弁されて、バイパス通路６０を経由して吸気が供給される第２供給態様とされる（例えば０．５秒〜１秒の間だけ第２供給態様を維持）。また、Ｑ１２では、一旦第２供給態様に切換えた後は、基本の供給態様となる第１供給態様へと徐々に復帰させる制御が行われる（例えば０．５秒〜２秒かけての徐々なる復帰で、第１切換弁６２を徐々に閉弁すると共に、第２切換弁６３を徐々に開弁させる）。このＱ１２の後、Ｑ１０の判別でＮＯのとき、あるいはＱ１１の判別でＮＯのときは、それぞれＱ１３において、フラグが０にリセットされる。
【００２９】
なお、バイパス通路２６を経由する第２供給態様から、インタークーラ２６を経由する第２供給態様へと一気に復帰させることもできるが、この場合はトルクショック発生が考えられるので、徐々に第１供給態様へ復帰させるのが好ましいものである。また、加速の度合いに応じて、第２供給態様を維持しておく時間を変更することもできる（加速度合いが大きいほど、第２供給態様を維持する時間を長くする）。
【００３０】
ここで、インタークーラ２６を経由する吸気の供給態様でもって排気ガス還流を実行している状態から、加速検出によって、排気ガス還流を停止すると共にバイパス通路６０を経由する吸気の供給態様へと切換えたときの充・量や酸素濃度等が変化する様子について、図５〜図８を参照しつつ説明する。まず、図５〜図８において、実線が本発明に対応し（加速時にバイパス通路６０を経由する吸気の供給態様を採用した場合）、破線がバイパス通路６０を有しない従来の場合である（常時インタークーラ２６を経由する吸気の供給態様）。また、図中の０秒時点が加速検出時点となる。
【００３１】
図５は、充・量が変化する様子を示し、加速検出から０．５秒程度経過した時点までの間では、本発明（実線）と従来（破線）との間で充・量にさほど差異はないものである。図６は、サージタンク２７部分での空気過剰率λが変化する様子を示すもので、本発明の方が従来よりも加速検出直後の空気過剰率が十分に大きくなるということが理解される。図７は、サージタンク２７部分（独立吸気管２１ａとなるインテークマニホールドの上流端付近に対応）での酸素濃度が変化する様子を示し、本発明の方が従来よりも早く酸素濃度が大きくなるということが理解される。図８は、燃料噴射量が変化する様子を示すもので、空気過剰率λや酸素濃度が本発明の方が従来よりも大きくなる一方、充・量が本発明と従来とで殆ど差異がないことから、燃料噴射量を本発明の方が従来よりも早期に十分に増量できるということが理解される。このように、本発明では、加速検出直後から酸素濃度（酸素量）が多くなる状態が確保されるので、多量のスモーク発生を防止しつつすみやかに燃料噴射量を増大させることが可能となって、加速応答性が向上されることになる。
【００３２】
以上実施形態について説明したが、本発明は、実施形態に限定されるものではなく、特許請求の範囲の記載された範囲において適宜の変更が可能であり、例えば次のような場合をも含むものである。排気ガス還流量の制御は、目標酸素濃度とする制御に限らず、総吸気量に対する排気ガス還流量の割合が所定割合となるように制御する等、適宜選択（変更）できるものである。パティキュレートフィルタ３３の配設位置を適宜変更することができ、例えばタービンホイール２５ｂの上流側でかつ接続部位２５ｂの下流側に配設してもよく、接続部位４２ｂの上流側に配設してもよく、接続部位４１ｂの下流側に配設することもできる。パティキュレートフィルタ３３と浄化触媒３２との配設位置を逆にすることもできる。
【００３３】
バイパス通路６０を経由して吸気を供給する第２供給態様とするとき、バイパス通路６０からの吸気の供給に加えて、インタークーラ２６からの吸気の供給を合わせて行うようにしてもよい。この場合は、第１切換弁６２および第２切換弁６３が共に開かれた状態となるが、例えば加速の度合いに応じて、バイパス通路６０経由の吸気量とインタークーラ２６経由の吸気量との割合を変更するようにしてもよい（加速度合いが大きいほどバイパス通路６０を経由する吸気量の割合を増大させる）。バイパス通路６０の下流端側にも追加の切換弁を設けて、バイパス通路６０を経由して吸気を供給する必要のないときに、バイパス通路６０内に排気ガスを含まない新気を閉じこめておくようにすることもできる。すなわち、排気ガス還流が停止されている状態で、一旦第１切換弁６２と上記追加された切換弁とを共に開いて、バイパス通路６０内が排気ガスを含まない新気で充満された状態となった時点で、第１切換弁６２および追加の切換弁を共に閉じるようにすればよい。酸素供給手段を、バイパス通路６０を利用することなく、吸気の流れ系路を構成しない例えば空気（大気）を貯溜するタンクによって構成して、このタンクをインタークーラ２６下流側の吸気通路（特にサージタンク２７付近）に接続して、排気ガス還流実行状態からの加速が検出されたときに、タンクに設けた開閉弁を開いてタンク内の空気を吸気通路内に供給する等、適宜の手法を採択することができる。なお、タンク内への空気の補充は、例えば、排気ガス還流が停止されているときの過給によって得られる高圧の吸気（新気）とすることができる。また、上記タンク内に純粋酸素を貯溜するものであってもよい。勿論、本発明の目的は、明記されたものに限らず、実質的に好ましいあるいは利点として表現されたものを提供することをも暗黙的に含むものである。
【図面の簡単な説明】
【００３４】
【図１】本発明の一実施形態を示す全体系統図。
【図２】本発明の制御系統例をブロック図的に示す図。
【図３】ＥＧＲの実行領域の設定例を示す図。
【図４】目標酸素濃度の設定例を示す図。
【図５】加速検出後の充・量が変化する様子を示すタイムチャート。
【図６】加速検出後の空気過剰率が変化する様子を示すタイムチャート。
【図７】加速検出後の酸素濃度が変化する様子を示すタイムチャート。
【図８】加速検出後の燃料噴射量が変化する様子を示すタイムチャート。
【図９】本発明の制御例を示すフローチャート。
【符号の説明】
【００３５】
Ｕ：コントローラ（制御手段、酸素濃度の検出（推定）手段）
１：ディーゼルエンジン（の本体）
２１：吸気通路
２５：排気ターボ式過給機
２５ａ：コンプレッサホイール
２５ｂ：タービンホイール
２６：インタークーラ
３１：排気通路
３３：パティキュレートフィルタ
４１：ＥＧＲ通路
４４：ＥＧＲ弁
６０：バイパス通路（酸素供給手段）
６２：第１切換弁
６３：第２切換弁
【図１】
2007127038.tif 000003
【図２】
2007127038.tif 000004
【図３】
2007127038.tif 000005
【図４】
2007127038.tif 000006
【図５】
2007127038.tif 000007
【図６】
2007127038.tif 000008
【図７】
2007127038.tif 000009
【図８】
2007127038.tif 000010
【図９】
2007127038.tif 000011